(57)【要約】【課題】  送信側の周囲の状況を受信側に的確に伝達できる情報交換システムを提供すること。【解決手段】  この情報交換システム１ａは、送信側の携帯電話機１０の周囲の音声を取得するために、相互に所定の間隔をおいて配置されている第１マイクロフォン１０１及び第２マイクロフォン１０２と、それらが取得した音声に基づいて、その音声の発生源の携帯電話機１０に対する相対的な方向を特定し、その特定した方向を示す方向特定情報を生成する方向特定部１０３と、取得した音声の所定帯域における音声を処理後音声とする音声処理部１０４と、方向特定部１０３が生成した方向特定情報と、音声処理部１０４が処理した処理後音声とを関連付けて、受信側の携帯電話機２０に送信する情報送信部１０５と、を備える。【選択図】  図１
2005333252.tif 000002
【特許請求の範囲】
【請求項１】
送信側通信端末の周囲の音声を取得するために、相互に所定の間隔をおいて配置されている少なくとも２以上の音声取得手段と、
前記音声取得手段が取得した音声に基づいて、当該取得した音声の発生源の前記送信側通信端末に対する相対的な方向を特定し、その特定した方向を示す方向特定情報を生成する方向特定手段と、
前記音声取得手段が取得した音声の所定帯域における音声を処理後音声とする音声処理手段と、
前記方向特定手段が生成した方向特定情報と、前記音声処理手段が処理した処理後音声とを関連付けて、受信側通信端末に送信する情報送信手段と、
を備える情報交換システム。
【請求項２】
前記音声取得手段は、単一指向性のマイクロフォンを有しており、
前記音声取得手段は、それぞれが有するマイクロフォンの指向性を示す軸線が相互に交わるように配置されている、
請求項１に記載の情報交換システム。
【請求項３】
前記情報送信手段が送信する方向特定情報及び処理後音声を受信する情報受信手段と、
前記情報受信手段が受信した処理後音声に対応した色情報を決定する色情報決定手段と、
前記情報受信手段が受信した方向特定情報に基づいて前記色情報を表示する位置を決定する表示位置決定手段と、
当該決定した位置に前記色情報を表示する表示手段と、
を備える、請求項１に記載の情報交換システム。
【発明の詳細な説明】
【技術分野】
【０００１】
本発明は、送信側の通信端末の周囲の状況を受信側の通信端末に知らせることのできる情報交換システムに関する。
【背景技術】
【０００２】
携帯電話機といった通信端末は、ユーザが送信しようとする情報を相手側の通史端末に的確に送信することを目的としている。この目的を実現するために、周囲の雑音をフィルタリングする技術が用いられている（例えば、下記特許文献１参照）。
【特許文献１】特開平１１−３３８４９９号公報
【発明の開示】
【発明が解決しようとする課題】
【０００３】
ところで、従来の携帯電話機では、話者の音声以外の音声はフィルタリングされてしまうために、相手側の周囲の音声を聞き取ることは困難である。従って、相手側の状況を的確に把握することは困難であり、より高度なコミュニケーションを考慮すると解決すべき課題であると本発明者は認識した。
【０００４】
そこで本発明は、送信側の周囲の状況を受信側に的確に伝達できる情報交換システムを提供することを目的とする。
【課題を解決するための手段】
【０００５】
本発明の情報交換システムは、（１）送信側通信端末の周囲の音声を取得するために、相互に所定の間隔をおいて配置されている少なくとも２以上の音声取得手段と、（２）音声取得手段が取得した音声に基づいて、当該取得した音声の発生源の送信側通信端末に対する相対的な方向を特定し、その特定した方向を示す方向特定情報を生成する方向特定手段と、（３）音声取得手段が取得した音声の所定帯域における音声を処理後音声とする音声処理手段と、（４）方向特定手段が生成した方向特定情報と、音声処理手段が処理した処理後音声とを関連付けて、受信側通信端末に送信する情報送信手段と、を備える。
【０００６】
本発明の情報交換システムによれば、取得した音声の発生源の送信側通信端末に対する相対的な方向を特定して方向特定情報を生成するので、取得した音声が送信側通信端末から見てどの方向から発生しているのかを知ることができる。また、方向特定情報と処理後音声とを関連付けて受信側通信端末に送信するので、受信側通信端末では処理後音声とその発生した方向とに基づいて情報処理が可能となる。また、処理後音声は所定帯域における音声であるから、不要な帯域の音声を除外した音声を受信側通信端末に伝達できる。
【０００７】
また本発明の情報交換システムでは、音声取得手段は、単一指向性のマイクロフォンを有しており、それぞれが有するマイクロフォンの指向性を示す軸線が相互に交わるように配置されていることも好ましい。単一指向性のマイクロフォンの指向性を示す軸線が交わるように音声取得手段が配置されているので、それぞれの音声取得手段に到達する特定の音声の時間差と指向性の情報に基づく方向性とから、発生源の送信側通信端末に対する相対的な方向を的確に把握できる。
【０００８】
また本発明の情報交換システムでは、情報送信手段が送信する方向特定情報及び処理後音声を受信する情報受信手段と、情報受信手段が受信した処理後音声に対応した色情報を決定する色情報決定手段と、情報受信手段が受信した方向特定情報に基づいて色情報を表示する位置を決定する表示位置決定手段と、当該決定した位置に色情報を表示する表示手段と、を備えることも好ましい。送信側通信端末から送信されてくる処理後音声に対応させて色情報を決定するので、聴覚情報を視覚情報に変換できる。また、色情報を方向特定情報に基づいた位置に表示させるので、送信側通信端末においてどの方向からどのような音を取得したのかを受信側通信端末において表示できる。
【発明の効果】
【０００９】
本発明によれば、送信側の周囲の状況を受信側に的確に伝達できる。
【発明を実施するための最良の形態】
【００１０】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１１】
本実施形態の情報伝達システム１ａについて図１を参照しながら説明する。図１は、情報伝達システム１ａの構成を示した図である。情報伝達システム１ａは、送信側通信端末である携帯電話機１０と受信側通信端末である携帯電話機２０とを備えている。携帯電話機１０及び携帯電話機２０は、図示しない移動体通信網を介して相互に情報送受信が可能なように構成されている。尚、本実施形態においては説明の便宜上、送信側通信端末と受信側通信端末とに分けているが、以下に説明するそれぞれの機能を共有して一方の携帯電話機が送信側としても受信側としても機能するようにしてもよい。
【００１２】
引き続いて、送信側の携帯電話機１０について説明する。携帯電話機１０は物理的には、ＣＰＵ、ＲＡＭ、周波数変換チップ、パワーアンプ、フラッシュメモリー、アナログ・デジタル変換チップ、マイクロフォン、スピーカー、液晶ディスプレイ、及びテンキーといった機能部品を備えている。
【００１３】
携帯電話機１０は機能的な構成要素として、第１マイクロフォン１０１（音声取得手段）と、第２マイクロフォン１０２（音声取得手段）と、方向特定部１０３（方向特定手段）と、音声処理部１０４（音声処理手段）と、情報処理部１０５（情報処理手段）と、を備えている。引き続いて各構成要素について説明する。
【００１４】
第１マイクロフォン１０１及び第２マイクロフォン１０２は、携帯電話機１０の周囲の音声を取得するために、相互に所定の間隔をおいて配置されている音声取得部分である。第１マイクロフォン１０１及び第２マイクロフォン１０２は取得した音声を電気信号として方向特定部１０３及び音声処理部１０４に出力する。また、第１マイクロフォン１０１及び第２マイクロフォン１０２は単一指向性のマイクロフォンであり、第１マイクロフォン１０１及び第２マイクロフォン１０２はそれらの指向性の軸線が交わるように配置されている。
【００１５】
より具体的に、第１マイクロフォン１０１及び第２マイクロフォン１０２の配置態様を説明するために図２を参照する。図２は、ユーザ３０が携帯電話機１０を使用している様子を示す図である。図２に示すように、第１マイクロフォン１０１及び第２マイクロフォン１０２は、携帯電話機１０の本体の上部の一端及び他端にそれぞれ配置されている。従って、第１マイクロフォン１０１及び第２マイクロフォン１０２は、携帯電話機１０の本体幅分だけ離されて配置されている。
【００１６】
また、第１マイクロフォン１０１及び第２マイクロフォン１０２のそれぞれの指向性の軸線α及び軸線βが所定の角度θを成すように、第１マイクロフォン１０１及び第２マイクロフォン１０２が配置されている。例えば、第１マイクロフォン１０１及び第２マイクロフォン１０２のそれぞれの軸線が軸線γに沿うように配置されると、位置４０で発生した音なのか、その軸線γに対する線対称の位置４１で発生した音なのかが判別できない。ところが、第１マイクロフォン１０１及び第２マイクロフォン１０２が、図２に示すように配置されると、それぞれの指向性によって音源がどの方向にあるのかを知ることができる。
【００１７】
図１に戻って、方向特定部１０３は、第１マイクロフォン１０１及び第２マイクロフォン１０２がそれぞれ取得した音声に基づいて、その取得した音声の発生源の相対的な方向を特定し、その特定した方向を示す方向特定情報を生成する部分である。方向特定部１０３は生成した方向特定情報を情報送信部１０５に出力する。
【００１８】
より具体的な方向特定部１０３の動作について図３を参照しながら説明する。図３は、図２において位置４０で特定の音声が発生した場合の第１マイクロフォン１０１及び第２マイクロフォン１０２から出力される音声を示す電気信号である。図３のＡ部分が第２マイクロフォン１０２から出力される電気信号であり、図３のＢ部分が第１マイクロフォン１０１から出力される電気信号である。図２に示すように位置４０で発生した音声は第１マイクロフォン１０１よりも第２マイクロフォン１０２に早く到達する。従って、図３に示すように、第１マイクロフォン１０１及び第２マイクロフォン１０２から出力される電気信号にはΔｔの時間差が生じる。方向特定部１０３は、このΔｔ及び音速、更には第１マイクロフォン１０１及び第２マイクロフォン１０２の指向性の特徴から音声の発生源の方向を特定する。
【００１９】
図１に戻って、音声処理部１０４は、第１マイクロフォン１０１及び第２マイクロフォン１０２が取得した音声の所定帯域における音声を処理後音声とする部分である。より具体的には、音声処理部１０４はバンドパスフィルタの機能を備えており、予め設定された帯域の音声のみを取り出して処理後音声として情報送信部１０５に出力する。
【００２０】
情報送信部１０５は、方向特定部１０３から出力された方向特定情報と音声処理部１０４から出力された処理後音声とを関連付けて、携帯電話機２０に送信する部分である。
【００２１】
引き続いて、受信側の携帯電話機２０について説明する。携帯電話機２０は物理的には、ＣＰＵ、ＲＡＭ、周波数変換チップ、パワーアンプ、フラッシュメモリー、アナログ・デジタル変換チップ、マイクロフォン、スピーカー、液晶ディスプレイ、及びテンキーといった機能部品を備えている。
【００２２】
携帯電話機２０は機能的な構成要素として、情報受信部２０１（情報受信手段）と、色情報決定部２０２（色情報決定手段）と、表示位置決定部２０３（表示位置決定手段）と、表示部２０４（表示手段）と、色情報格納部２５０と、を備えている。引き続いて各構成要素について説明する。
【００２３】
情報受信部２０１は、携帯電話機１０の情報送信部１０５が送信した方向特定情報及び処理後音声を受信する部分である。情報受信部２０１は受信した方向特定情報及び処理後音声を色情報決定部２０２に出力する部分である。
【００２４】
色情報決定部２０２は、情報受信部２０１が受信した処理後音声に対応した色情報を決定する部分である。より具体的には、色情報決定部２０２は情報受信部２０１が出力する処理後音声の周波数解析を行う。色情報決定部２０２はその解析結果に基づいて色情報格納部２５０に格納されている情報から色情報を決定する。色情報決定部２０２は決定した色情報を方向特定情報と共に表示位置決定部２０３に出力する。
【００２５】
ここで、色情報格納部２５０に格納されている情報の例を図４を参照しながら説明する。図４に示すように、色情報格納部２５０には「振動数」「音階」「色」が関連付けられて格納されている。例えば、「振動数」が２６４Ｈｚの倍数であれば、その「音階」は「ド」であり、「色」は「赤色」となる。すなわち、色情報決定部２０２は、処理後音声の解析結果からその振動数を決定し、その決定した振動数に対応する色情報を決定する。
【００２６】
図１に戻って、表示位置決定部２０３は、情報受信部２０１が受信した方向特定情報に基づいて色情報を表示する位置を決定する部分である。より具体的には、表示位置決定部２０３は、色情報決定部２０２から出力される方向特定情報に基づいて、色情報決定部２０２からあわせて出力される色情報を表示部２０４に表示する位置を決定する。表示位置決定部２０３は決定した位置を特定する情報と色情報とを表示部２０４に出力する。
【００２７】
表示部２０４は、表示位置決定部２０３が決定した位置に色情報を表示する部分である。表示部２０４の表示態様について図５を参照しながら説明する。図５は携帯電話機２０をユーザ３１が使用している状態を示した図である。図５に示すように、表示部２０４は通常のディスプレイ２０５とは異なった位置に設けられている。図５に示す例では、表示部２０４はテンキーを兼用した表示部分として構成されている。従って、表示部２０４はテンキーに対応した複数の部分に分割されており、テンキーとして使用されるモードの場合にはそれらの分割した部分に文字が割り当てられる。表示部２０４の中心近傍には相手側の通信端末（本実施形態の場合は携帯電話機１０）を示すシンボル２０４ａが表示されている。図２において示した位置４０で音声が発生している場合には、それに対応した位置にシンボル２０４ｂが、その発生している音声に対応する色で表示される。また、図２において示した位置４１で音声が発生している場合には、それに対応した位置にシンボル２０４ｃが、その発生している音声に対応する色で表示される。
【００２８】
従って、ユーザ３１は相手側のユーザ３０の様子をディスプレイ２０５で確認しながら、表示部２０４で相手側のユーザ３０の周囲の様子も把握することができる。例えば、音声のままでは相手側のユーザが話す音声に埋もれてしまうような周囲の音声が、上述のように色情報として表示できるので、より的確に相手側の周囲の状況が把握できる。
【００２９】
本実施形態の作用効果について説明する。方向特定部１０３が、第１マイクロフォン１０１及び第２マイクロフォンが取得した音声の発生源（例えば、図２の位置４０）の携帯電話機１０に対する相対的な方向を特定して方向特定情報を生成するので、取得した音声が携帯電話機１０から見てどの方向から発生しているのかを知ることができる。また、情報送信部１０５が方向特定情報と処理後音声とを関連付けて受信側の携帯電話機２０に送信するので、携帯電話機２０では処理後音声とその発生した方向とに基づいて情報処理が可能となる。つまり、図５に示したように、表示部２０４に色情報を所定の位置に表示できる。
【図面の簡単な説明】
【００３０】
【図１】本実施形態の情報交換システムの構成を示す図である。
【図２】図１に示す送信側の携帯電話機を説明するための図である。
【図３】図１に示す送信側の携帯電話機を説明するための図である。
【図４】図１に示す受信側の携帯電話機を説明するための図である。
【図５】図１に示す受信側の携帯電話機を説明するための図である。
【符号の説明】
【００３１】
１ａ…情報交換システム、１０…携帯電話機、２０…携帯電話機、１０１…第１マイクロフォン、１０２…第２マイクロフォン、１０３…方向特定部、１０４…音声処理部、１０５…情報送信部、２０１…情報受信部、２０２…色情報決定部、２０３…表示位置決定部、２０４…表示部、２５０…色情報格納部。
【図１】
2005333252.tif 000003
【図２】
2005333252.tif 000004
【図３】
2005333252.tif 000005
【図４】
2005333252.tif 000006
【図５】
2005333252.tif 000007